(57)【要約】【課題】フレキシブル照明装置を安定的に接続し得る接続装置およびこれを備えるフレキシブル照明システムを提供すること。【解決手段】接続装置およびこれを備えるフレキシブル照明システムが開示される。開示される一実施例による接続装置は、フレキシブル照明装置に接続される接続装置であって、本体部と、本体部からフレキシブル照明装置側に突出し、フレキシブル照明装置と電気的に接続される接続端子と、本体部からフレキシブル照明装置側に突出して設けられ、フレキシブル照明装置が接続装置の内側に挿入されることをガイドし、１つ以上の側面が開放されて設けられる照明装置ガイド部と、照明装置ガイド部の開放された一側面で照明装置ガイド部の外側に結合され、開放された一側面によって外部に露出されたフレキシブル照明装置の一側面に固定されるように設けられるクリップ部と、を含む。【選択図】図１
2020119890.tif 000002
【特許請求の範囲】
【請求項１】
フレキシブル照明装置に接続される接続装置であって、
本体部と、
前記本体部から前記フレキシブル照明装置側に突出し、前記フレキシブル照明装置と電気的に接続される接続端子と、
前記本体部から前記フレキシブル照明装置側に突出して設けられ、前記フレキシブル照明装置が前記接続装置の内側に挿入されることをガイドし、１つ以上の側面が開放されて設けられる照明装置ガイド部と、
前記照明装置ガイド部の開放された一側面で前記照明装置ガイド部の外側に結合され、前記開放された一側面によって外部に露出された前記フレキシブル照明装置の一側面に固定されるように設けられるクリップ部と、を含む接続装置。
【請求項２】
前記クリップ部は、
前記照明装置ガイド部の前記開放された一側面と向かい合う面に設けられる１つ以上の固定突起を含み、
前記固定突起は、前記クリップ部が前記照明装置ガイド部の外側に結合する場合、前記開放された一側面によって外部に露出される前記フレキシブル照明装置の前記一側面に刺さるによって固定されるように設けられる請求項１に記載の接続装置。
【請求項３】
前記照明装置ガイド部は、
前記本体部の上端から前記フレキシブル照明装置側に延長される第１ガイド部と、
前記本体部の下端から前記フレキシブル照明装置側に延長される第２ガイド部と、
前記第１ガイド部および前記第２ガイド部の端部を連結して設けられる支持フレームと、を含む請求項１に記載の接続装置。
【請求項４】
前記接続装置は、
前記本体部で前記フレキシブル照明装置と反対側に設けられ、一側が前記接続端子と接続され、他側が電源供給部と電気的に接続される電源接続部をさらに含む請求項１に記載の接続装置。
【請求項５】
前記クリップ部は、
前記照明装置ガイド部の前記開放された一側面と対向して設けられる第１プレートと、
前記第１プレートの上端から前記照明装置ガイド部側に突出し、端部に第１係止部が設けられる第２プレートと、
前記第１プレートの下端から前記照明装置ガイド部側に突出し、端部に第２係止部が設けられる第３プレートと、を含む請求項１に記載の接続装置。
【請求項６】
前記照明装置ガイド部は、
前記照明装置ガイド部の上端に設けられ、前記第１係止部が係止されるように設けられる第１係止溝と、
前記照明装置ガイド部の下端に設けられ、前記第２係止部が係止されるように設けられる第２係止溝をさらに含む請求項５に記載の接続装置。
【請求項７】
前記クリップ部は、
前記第１プレートの内面に突出して設けられ、前記照明装置ガイド部の前記開放された一側面によって外部に露出される前記フレキシブル照明装置の前記一側面に刺さることによって固定される１つ以上の固定突起をさらに含む請求項５に記載の接続装置。
【請求項８】
前記接続装置は、
前記本体部を基準に前記接続端子、前記照明装置ガイド部、および前記クリップ部が左右対称に形成されて２つのフレキシブル照明装置を接続するように設けられる請求項１に記載の接続装置。
【請求項９】
前記接続装置は、
前記本体部の一側に設けられ、第１接続端子、第１照明装置ガイド部、および第１クリップ部を含み、第１タイプのフレキシブル照明装置が接続されるように設けられる第１接続装置と、
前記本体部の他側に設けられ、第２接続端子、第２照明装置ガイド部、および第２クリップ部を含み、第２タイプのフレキシブル照明装置が接続されるように設けられる第２接続装置を含む請求項１に記載の接続装置。
【請求項１０】
フレキシブル照明装置と、
前記フレキシブル照明装置に接続される接続装置とを含み、
前記接続装置は、
本体部と、
前記本体部から前記フレキシブル照明装置側に突出し、前記フレキシブル照明装置と電気的に接続される接続端子と、
前記本体部から前記フレキシブル照明装置側に突出して設けられ、前記フレキシブル照明装置が前記接続装置の内側に挿入されることをガイドし、１つ以上の側面が開放されて設けられる照明装置ガイド部と、
前記照明装置ガイド部の前記開放された一側面で前記照明装置ガイド部の外側に結合され、前記開放された一側面によって外部に露出された前記フレキシブル照明装置の一側面に固定されるように設けられるクリップ部と、を含むフレキシブル照明システム。
【請求項１１】
前記クリップ部は、
前記照明装置ガイド部の前記開放された一側面と向かい合う面に設けられる１つ以上の固定突起を含み、
前記固定突起は、前記クリップ部が前記照明装置ガイド部の外側に結合する場合、前記開放された一側面によって外部に露出される前記フレキシブル照明装置の前記一側面に刺さるによって固定されるように設けられる請求項１０に記載のフレキシブル照明システム。
【請求項１２】
前記フレキシブル照明装置は、
フレキシブル基板と、
前記フレキシブル基板に設けられる照明手段と、
前記フレキシブル基板に前記照明手段と電気的に接続される配線パターンと、
前記フレキシブル基板の一面で前記フレキシブル基板の長さ方向に沿って設けられる１つ以上の切断マークと、を含み、
前記切断マークは、外部から識別可能に設けられる請求項１０に記載のフレキシブル照明システム。
【請求項１３】
前記配線パターンは、
前記フレキシブル基板の下面で前記フレキシブル基板の長さ方向に沿って設けられ、
前記切断マークは、前記フレキシブル基板の前記下面に外部から識別可能に表示される請求項１２に記載のフレキシブル照明システム。
【請求項１４】
前記フレキシブル照明装置は、
前記フレキシブル基板の少なくとも一面を包みながら設けられる保護部と、
前記フレキシブル照明装置の１つ以上の外面に設けられ、前記照明手段の方向と前記フレキシブル照明装置の光の照射方向が一致するように設けられる光遮断部をさらに含む請求項１２に記載のフレキシブル照明システム。
【請求項１５】
前記フレキシブル照明装置は、
前記フレキシブル基板の少なくとも一面を包みながら設けられる保護部と、
前記フレキシブル照明装置の１つ以上の外面に設けられ、前記照明手段の方向と前記フレキシブル照明装置の光の照射方向が一致しないように設けられる光遮断部をさらに含む請求項１２に記載のフレキシブル照明システム。
【請求項１６】
前記接続端子は、
前記配線パターンと対応する高さで設けられ、前記配線パターンと接触するように、前記接続端子の端部が前記フレキシブル照明装置側に行くほど厚さが薄くなるように設けられる請求項１２に記載のフレキシブル照明システム。
【発明の詳細な説明】
【技術分野】
【０００１】
本発明の実施例は、フレキシブル照明装置の接続技術に係る。
【背景技術】
【０００２】
最近、電子機器の軽量化と小型化の傾向が高まるにつれて、ＬＥＤ（Ｌｉｇｈｔ  Ｅｍｉｔｔｉｎｇ  Ｄｉｏｄｅ）チップを印刷回路基板（ＰＣＢ）または軟性回路基板（ＦＰＣＢ：Ｆｌｅｘｉｂｌｅ  Ｐｒｉｎｔｅｄ  Ｃｉｒｃｕｉｔ  Ｂｏａｒｄ）に実装する技術が開発されている。ここで、ＬＥＤチップを軟性回路基板に実装した照明装置は、フレキシブル照明装置であって、フレキシブル照明装置は、一定の長さごとにＦＰＣＢ基板に配線パターンの余裕部分を形成し、余裕部分を切断することにより、使用者が欲しい長さにフレキシブル照明装置を使用できる。これらのフレキシブル照明装置を相互に接続するためには、別の接続装置が必要である。
【先行技術文献】
【特許文献】
【０００３】
【特許文献１】韓国登録特許公報第１０−１２８１５４７号（２０１３．０６．２７）
【発明の概要】
【発明が解決しようとする課題】
【０００４】
本発明の実施例は、フレキシブル照明装置を安定的に接続し得る接続装置およびこれを備えるフレキシブル照明システムを提供するためのものである。
【課題を解決するための手段】
【０００５】
開示される一実施例による接続装置は、フレキシブル照明装置に接続される接続装置であって、本体部と、前記本体部から前記フレキシブル照明装置側に突出し、前記フレキシブル照明装置と電気的に接続される接続端子と、前記本体部から前記フレキシブル照明装置側に突出して設けられ、前記フレキシブル照明装置が前記接続装置の内側に挿入されることをガイドし、１つ以上の側面が開放されて設けられる照明装置ガイド部と、前記照明装置ガイド部の開放された一側面で前記照明装置ガイド部の外側に結合され、前記開放された一側面によって外部に露出された前記フレキシブル照明装置の一側面に固定されるように設けられるクリップ部と、を含む。
【０００６】
前記クリップ部は、前記照明装置ガイド部の前記開放された一側面と向かい合う面に設けられる１つ以上の固定突起を含み、前記固定突起は、前記クリップ部が前記照明装置ガイド部の外側に結合する場合、前記開放された一側面によって外部に露出される前記フレキシブル照明装置の前記一側面に刺さるによって固定されるように設けられ得る。
【０００７】
前記照明装置ガイド部は、前記本体部の上端から前記フレキシブル照明装置側に延長される第１ガイド部と、前記本体部の下端から前記フレキシブル照明装置側に延長される第２ガイド部と、前記第１ガイド部および前記第２ガイド部の端部を連結して設けられる支持フレームと、を含み得る。
【０００８】
前記接続装置は、前記本体部で前記フレキシブル照明装置と反対側に設けられ、一側が前記接続端子と接続され、他側が電源供給部と電気的に接続される電源接続部をさらに含み得る。
【０００９】
前記クリップ部は、前記照明装置ガイド部の前記開放された一側面と対向して設けられる第１プレートと、前記第１プレートの上端から前記照明装置ガイド部側に突出し、端部に第１係止部が設けられる第２プレートと、前記第１プレートの下端から前記照明装置ガイド部側に突出し、端部に第２係止部が設けられる第３プレートと、を含み得る。
【００１０】
前記照明装置ガイド部は、前記照明装置ガイド部の上端に設けられ、前記第１係止部が係止されるように設けられる第１係止溝と、前記照明装置ガイド部の下端に設けられ、前記第２係止部が係止されるように設けられる第２係止溝をさらに含み得る。
【００１１】
前記クリップ部は、前記第１プレートの内面に突出して設けられ、前記照明装置ガイド部の前記開放された一側面によって外部に露出される前記フレキシブル照明装置の前記一側面に刺さることによって固定される１つ以上の固定突起をさらに含み得る。
【００１２】
前記接続装置は、前記本体部を基準に前記接続端子、前記照明装置ガイド部、および前記クリップ部が左右対称に形成されて２つのフレキシブル照明装置を接続するように設けられ得る。
【００１３】
前記接続装置は、前記本体部の一側に設けられ、第１接続端子、第１照明装置ガイド部、および第１クリップ部を含み、第１タイプのフレキシブル照明装置が接続されるように設けられる第１接続装置と、前記本体部の他側に設けられ、第２接続端子、第２照明装置ガイド部、および第２クリップ部を含み、第２タイプのフレキシブル照明装置が接続されるように設けられる第２接続装置を含み得る。
【００１４】
開示される一実施例によるフレキシブル照明システムは、フレキシブル照明装置と、前記フレキシブル照明装置に接続される接続装置とを含み、前記接続装置は、本体部と、前記本体部から前記フレキシブル照明装置側に突出し、前記フレキシブル照明装置と電気的に接続される接続端子と、前記本体部から前記フレキシブル照明装置側に突出して設けられ、前記フレキシブル照明装置が前記接続装置の内側に挿入されることをガイドし、１つ以上の側面が開放されて設けられる照明装置ガイド部と、前記照明装置ガイド部の前記開放された一側面で前記照明装置ガイド部の外側に結合され、前記開放された一側面によって外部に露出された前記フレキシブル照明装置の一側面に固定されるように設けられるクリップ部と、を含む。
【００１５】
前記クリップ部は、前記照明装置ガイド部の前記開放された一側面と向かい合う面に設けられる１つ以上の固定突起を含み、前記固定突起は、前記クリップ部が前記照明装置ガイド部の外側に結合する場合、前記開放された一側面によって外部に露出される前記フレキシブル照明装置の前記一側面に刺さるによって固定されるように設けられ得る。
【００１６】
前記フレキシブル照明装置は、フレキシブル基板と、前記フレキシブル基板に設けられる照明手段と、前記フレキシブル基板に前記照明手段と電気的に接続される配線パターンと、前記フレキシブル基板の一面で前記フレキシブル基板の長さ方向に沿って設けられる１つ以上の切断マークと、を含み、前記切断マークは、外部から識別可能に設けられ得る。
【００１７】
前記配線パターンは、前記フレキシブル基板の下面で前記フレキシブル基板の長さ方向に沿って設けられ、前記切断マークは、前記フレキシブル基板の前記下面に外部から識別可能に表示される。
【００１８】
前記フレキシブル照明装置は、前記フレキシブル基板の少なくとも一面を包みながら設けられる保護部と、前記フレキシブル照明装置の１つ以上の外面に設けられ、前記照明手段の方向と前記フレキシブル照明装置の光の照射方向が一致するように設けられる光遮断部をさらに含み得る。
【００１９】
前記フレキシブル照明装置は、前記フレキシブル基板の少なくとも一面を包みながら設けられる保護部と、前記フレキシブル照明装置の１つ以上の外面に設けられ、前記照明手段の方向と前記フレキシブル照明装置の光の照射方向が一致しないように設けられる光遮断部をさらに含み得る。
【００２０】
前記接続端子は、前記配線パターンと対応する高さで設けられ、前記配線パターンと接触するように、前記接続端子の端部が前記フレキシブル照明装置側に行くほど厚さが薄くなるように設けられ得る。
【発明の効果】
【００２１】
本発明の実施例によると、接続装置のクリップ部が照明装置ガイド部の開放された一側面で照明装置ガイド部の外側に結合されることにより、接続装置とフレキシブル照明装置が安定的に結合される。また、照明装置ガイド部の開放された一側面と対向する面とに尖った形状の１つ以上の固定突起を設けることにより、クリップ部の固定突起が照明装置ガイド部の開放された一側面によって外部に露出されたフレキシブル照明装置の一側面に刺さることによって固定される。これによって、接続装置とフレキシブル照明装置との結合がより強固になる。
【００２２】
また、フレキシブル基板の下面に切断マークが外部から識別可能に設けられることにより、フレキシブル照明装置が曲がっても、使用者は切断マークを通じてフレキシブル照明装置の切断する部分を正確に見つけて切断できることになる。
【図面の簡単な説明】
【００２３】
【図１】図１は、本発明の一実施例によるフレキシブル照明システムを示した図である。
【００２４】
【図２】図２は、本発明の一実施例によるフレキシブル照明装置を示した斜視図である。
【００２５】
【図３】図３は、本発明の一実施例によるフレキシブル照明装置と接続装置が結合された状態を示した斜視図である。
【００２６】
【図４】図４は、本発明の一実施例によるフレキシブル照明装置と接続装置が結合された状態を示した断面図である。
【００２７】
【図５】図５は、本発明の一実施例によるフレキシブル照明装置の底面図および断面図である。
【００２８】
【図６】図６は、本発明の他の実施例によるフレキシブル照明装置を示した断面図である。
【００２９】
【図７】図７は、本発明の他の実施例による接続装置を示した斜視図である。
【００３０】
【図８】図８は、本発明のまた他の実施例による接続装置を示した斜視図である。
【００３１】
【図９】図９は、開示される実施例において、複数の第２タイプのフレキシブル照明装置が接続装置を介して接続される状態を示した図である。
【図１０】図１０は、開示される実施例において、複数の第２タイプのフレキシブル照明装置が接続装置を介して接続される状態を示した図である。
【００３２】
【図１１】図１１は、開示される実施例において、複数の第１タイプのフレキシブル照明装置が接続装置を介して接続される状態を示した図である。
【００３３】
【図１２】図１２は、開示される一実施例によるフレキシブル照明装置がブラケットに装着される状態を示した斜視図および断面である。
【００３４】
【図１３】図１３は、開示される一実施例において、拡張スティックを用いて接続装置がフレキシブル照明装置と接続される過程を示した図である。
【発明を実施するための形態】
【００３５】
以下、図面を参照して本発明の具体的な実施形態を説明する。以下の詳細な説明は、本明細書で記述された方法、装置および／またはシステムについての包括的な理解を助けるために提供される。しかし、これは例示に過ぎず、本発明はこれに制限されない。
【００３６】
本発明の実施例を説明するにおいて、本発明に係る公知技術についての具体的な説明が本発明の要旨を不必要に曖昧にすることができると判断される場合には、その詳細な説明を略する。そして、後述される用語は、本発明での機能を考慮して定義された用語として、これは使用者、運用者の意図または慣例などによって変わることができる。したがって、その定義は、本明細書の全般にわたる内容に基づいてなされるべきである。詳細な説明で使用される用語は、単に本発明の実施例を記述するためのものであり、決して制限的であってはならない。明確に別の方法で使用されていない限り、単数形の表現は、複数形の意味を含む。本説明において、「含み」または「備え」のような表現は、ある特性、数字、ステップ、動作、要素、これらの一部または組み合せを示すためのものであり、記述されたもの以外に、１つまたはそれ以上の他の特性、数字、ステップ、動作、要素、これらの一部または組み合せの存在または可能性を排除するように解釈されてはならない。
【００３７】
一方、上側、下側、一側、他側などのような方向性の用語は、開示された図面の配向に関連して使用される。本発明の実施例の構成要素は、様々な配向に位置設定できるため、方向性の用語は、例示を目的として使用されるものであり、これを制限するものではない。
【００３８】
また、第１、第２などの用語は、様々な構成要素を説明するのに使用できるが、前記構成要素は、前記用語によって限定されてはならない。前記用語は、１つの構成要素を他の構成要素から区別する目的として使用できる。例えば、本発明の権利の範囲を逸脱しないかぎり、第１構成要素は、第２構成要素と命名され得、同様に第２構成要素も第１構成要素と命名され得る。
【００３９】
図１は、本発明の一実施例によるフレキシブル照明システムを示した図面であり、図２は、本発明の一実施例によるフレキシブル照明装置を示した斜視図であり、図３は、本発明の一実施例によるフレキシブル照明装置と接続装置が結合された状態を示した斜視図であり、図４は、本発明の一実施例によるフレキシブル照明装置と接続装置が結合された状態を示した断面図である。
【００４０】
図１ないし図４を参照すると、フレキシブル照明システム１００は、フレキシブル照明装置１０２および接続装置１０４を含み得る。
【００４１】
フレキシブル照明装置１０２は、フレキシブル（Ｆｌｅｘｉｂｌｅ）であるように設けられる照明器具である。フレキシブル照明装置１０２は、フレキシブル基板１１１、保護部１１３、および光遮断部１１５を含み得る。
【００４２】
フレキシブル基板１１１は、ＦＰＣＢ（Ｆｌｅｘｉｂｌｅ  Ｐｒｉｎｔｅｄ  Ｃｉｒｃｕｉｔ  Ｂｏａｒｄ）を使用できる。フレキシブル基板１１１の一面には、１つ以上の照明手段１２１を実装できる。照明手段１２１では、ＬＥＤ（Ｌｉｇｈｔ  Ｅｍｉｔｔｉｎｇ  Ｄｉｏｄｅ）などを使用できる。例示的な実施例において、複数の照明手段１２１がフレキシブル基板１１１の長さ方向に沿って相互離隔して配列され得る。フレキシブル基板１１１には、照明手段１２１と電気的に接続される配線パターン１２３が設けられ得る。例示的な実施例において、配線パターン１２３は、フレキシブル基板１１１の他面にフレキシブル基板１１１の長さ方向に沿って設けられ得る。しかし、配線パターン１２３の位置がこれに限定されるものではなく、フレキシブル基板１１１の一面などその以外の位置に設けられ得る。
【００４３】
保護部１１３は、フレキシブル基板１１１を外部の環境から保護できる。例示的な実施例において、保護部１１３は、フレキシブル基板１１１の一面でフレキシブル基板１１１を包みながら設けられる第１保護部１１３−１およびフレキシブル基板１１１の他面でフレキシブル基板１１１を包みながら設けられる第２保護部１１３−２を含み得る。保護部１１３は、絶縁材質で設けられ得る。また、保護部１１３は、光を透過できる材質で設けられ得る。ここで、第１保護部１１３−１は、照明手段１２１から発生した光が透過して外部に照射されるようにする役割ができる。一方、ここでは、保護部１１３が第１保護部１１３−１を含むものと説明したが、これに限定されるものではなく、保護部１１３は、第１保護部１１３−１なしに第２保護部１１３−２で構成され得る。
【００４４】
光遮断部１１５は、保護部１１３の外側に設けられ得る。光遮断部１１５は、光を透過できない材質で設けられ得る。または、光遮断部１１５は、光を透過できずに反射する材質で設けられ得る。光遮断部１１５は、照明手段１２１から発生した光が保護部１１３の一面（光遮断部１１５が形成されない面）に照射されるようにガイドする役割ができる。
【００４５】
例示的な実施例において、光遮断部１１５は、第１保護部１１３−１の一側面および上面と第２保護部１１３−２の下面に設けられ得る。この場合、第１保護部１１３−１の他側面は、光遮断部１１５が形成されず、照明手段１２１から発生した光は、光遮断部１１５が形成されない第１保護部１１３−１の他側面に照射される。光遮断部１１５は、光が完全に透過できないようにすることを排除してはいないが、照明手段１２１から発生した光が主に光遮断部１１５が形成されない第１保護部１１３−１の他側面に照射されるようにする役割ができる。
【００４６】
ここで、照明手段１２１の方向と光の照射方向が一致せず、照明手段１２１の方向と光の照射方向が直角を成すことになる。これらのフレキシブル照明装置を「第１タイプのフレキシブル照明装置」と指称し得る。
【００４７】
接続装置１０４は、フレキシブル照明装置１０２に電源を伝達する役割ができる。接続装置１０４は、本体部１３１、電源接続部１３３、照明装置ガイド部１３５、接続端子１３７、およびクリップ部１３９を含み得る。本体部１３１は、絶縁材質からなり得る。本体部１３１は、第１本体部１３１−１および第２本体部１３１−２を含み得る。第１本体部１３１−１は、フレキシブル照明装置１０２の一端部と対向して設けられ得る。第１本体部１３１−１は、フレキシブル照明装置１０２の断面と対応する形状に設けられ得る。第２本体部１３１−２は、第１本体部１３１−１の各枠でフレキシブル照明装置１０２に向かって突出して設けられ得る。
【００４８】
電源接続部１３３は、本体部１３１の一側に設けられ得る。電源接続部１３３の一端は、接続端子１３７と電気的に接続され得る。電源接続部１３３の他端は、電源供給部（図示せず）に電気的に接続され得る。電源供給部（図示せず）は、例えば、ＳＭＰＳ（Ｓｗｉｔｃｈｉｎｇ  Ｍｏｄｅ  Ｐｏｗｅｒ  Ｓｕｐｐｌｙ）であり得る。
【００４９】
照明装置ガイド部１３５は、本体部１３１からフレキシブル照明装置１０２側に突出して設けられ得る。本体部１３１および照明装置ガイド部１３５は、透明材質または半透明材質からなり得るが、これに限定されるものではなく、不透明材質などからなり得る。
【００５０】
例示的な実施例において、照明装置ガイド部１３５は、第２本体部１３１−２の端部からフレキシブル照明装置１０２側に延長されて設けられ得る。照明装置ガイド部１３５は、フレキシブル照明装置１０２が接続装置１０４の内側に挿入されることをガイドし得る。照明装置ガイド部１３５は、フレキシブル照明装置１０２の１つ以上の面と接触し、フレキシブル照明装置１０２が前記接触した面に沿って接続装置１０４の内側に挿入されるようにガイドし得る。
【００５１】
また、照明装置ガイド部１３５は、１つ以上の側面が開放されて設けられ得る。この場合、フレキシブル照明装置１０２が接続装置１０４の内側に挿入されると、フレキシブル照明装置１０２の１つ以上の側面が照明装置ガイド部１３５の開放された側面によって外部に露出される。
【００５２】
例示的な実施例において、照明装置ガイド部１３５は、第１ガイド部１３５−１および第２ガイド部１３５−２を含み得る。第１ガイド部１３５−１は、第２本体部１３１−２の上端からフレキシブル照明装置１０２側に延長され得る。第２ガイド部１３５−２は、第２本体部１３１−２の下端からフレキシブル照明装置１０２側に延長され得る。この場合、照明装置ガイド部１３５は、両側面が開放されることになる。
【００５３】
ここで、第１ガイド部１３５−１および第２ガイド部１３５−２は、それぞれ第２本体部１３１−２の上端および下端と段差を有するように設けられ得る。すなわち、第１ガイド部１３５−１の表面と第２本体部１３１−２の上端の表面が段差を有するように設けられ、第２ガイド部１３５−２の表面と第２本体部１３１−２の下端の表面が段差を有するように設けられ得る。
【００５４】
一方、照明装置ガイド部１３５の端部には、支持フレーム１３５−３が設けられ得る。支持フレーム１３５−３は、照明装置ガイド部１３５の端部でフレキシブル照明装置１０２の断面形状と対応して設けられ得る。支持フレーム１３５−３は、照明装置ガイド部１３５の端部の枠に沿って設けられ得る。この場合、フレキシブル照明装置１０２は、支持フレーム１３５−３の内側に挿入されることになる。支持フレーム１３５−３は、第１ガイド部１３５−１および第２ガイド部１３５−２の端部を連結して設けられ得る。
【００５５】
接続端子１３７の一端は、本体部１３１を介して電源接続部１３３と電気的に接続される。例示的な実施例において、接続端子１３７は、第１本体部１３１−１からフレキシブル照明装置１０２側に突出して設けられ得る。接続端子１３７の一端は、第１本体部１３１−１内で電源接続部１３３と電気的に接続され得る。接続端子１３７の他端は、フレキシブル照明装置１０２と電気的に接続される。
【００５６】
具体的に、使用者がフレキシブル照明装置１０２を接続装置１０４の内側に挿入する場合、接続端子１３７の他端がフレキシブル基板１１１に設けられる配線パターン１２３と接触し得る。例えば、配線パターン１２３がフレキシブル基板１１１の下面に設けられた場合、接続端子１３７の他端は、フレキシブル基板１１１の下部にはめ込み挿入されながら配線パターン１２３と接触し得る。
【００５７】
接続端子１３７の他端は、フレキシブル照明装置１０２側に行くほど厚さが薄くなるように設けられ得る。この場合、フレキシブル照明装置１０２が接続装置１０４の内側に挿入されるとき、接続端子１３７の他端がフレキシブル基板１１１と第２保護部１１３−２との間に入り込みながら配線パターン１２３と接触することになる。
【００５８】
クリップ部１３９は、照明装置ガイド部１３５の外側に結合され得る。クリップ部１３９は、照明装置ガイド部１３５の開放された一側面で照明装置ガイド部１３５に結合され得る。クリップ部１３９は、照明装置ガイド部１３５の開放された一側面を閉鎖するように照明装置ガイド部１３５に結合され得る。このとき、クリップ部１３９は、照明装置ガイド部１３５の開放された一側面によって外部に露出されたフレキシブル照明装置１０２の側面に密着して固定され得る。
【００５９】
例示的な実施例において、クリップ部１３９は、第１プレート１３９−１、第２プレート１３９−２、および第３プレート１３９−３を含み得る。第１プレート１３９−１は、照明装置ガイド部１３５の開放された一側面と対向して設けられ得る。第２プレート１３９−２は、第１プレート１３９−１の上端から照明装置ガイド部１３５側に突出して設けられ得る。第３プレート１３９−３は、第１プレート１３９−１の下端から照明装置ガイド部１３５側に突出して設けられ得る。
【００６０】
第１プレート１３９−１は、照明装置ガイド部１３５の開放された一側面を閉鎖し得る。第２プレート１３９−２は、照明装置ガイド部１３５の上端（すなわち、第１ガイド部１３５−１）に安着し得る。第２プレート１３９−２の端部には、第１係止部１３９−２ａが設けられ得る。第１係止部１３９−２ａは、下側に屈曲した後に、上部に傾斜するように設けられ得る。第３プレート１３９−３は、照明装置ガイド部１３５の下端（すなわち、第２ガイド部１３５−２）に安着し得る。第３プレート１３９−３の端部には、第２係止部１３９−３ａが設けられ得る。第２係止部１３９−３ａは、上側に屈曲した後に、下部に傾斜するように設けられ得る。
【００６１】
第１ガイド部１３５−１には、第１ガイド部１３５−１の表面と段差を有するように設けられる第１係止溝１３５−１ａが設けられ得る。第２ガイド部１３５−２には、第２ガイド部１３５−２の表面と段差を有するように設けられる第２係止溝１３５−２ａが設けられ得る。クリップ部１３９が照明装置ガイド部１３５の開放された一側面で照明装置ガイド部１３５に装着される場合、第１係止部１３９−２ａが第１係止溝１３５−１ａに係止され、第２係止部１３９−３ａが第２係止溝１３５−２ａに係止されて結合される。
【００６２】
一方、第１プレート１３９−１の内面（すなわち、照明装置ガイド部１３５の開放された一側面と対面する面）には、１つ以上の固定突起１３９−１ａが突出し得る。クリップ部１３９が照明装置ガイド部１３５の開放された一側面で照明装置ガイド部１３５に結合される場合、固定突起１３９−１ａは、照明装置ガイド部１３５の開放された一側面によって外部に露出されたフレキシブル照明装置１０２の側面（光遮断部１１５が形成された面）に刺さるによって固定され得る。
【００６３】
すなわち、固定突起１３９−１ａは、端部が尖った形状に設けられ得、フレキシブル照明装置１０２の側面に刺さり得る。これによって、接続装置１０４とフレキシブル照明装置１０２との結合が強固になり、接続装置１０４が離脱することを防止できる。
【００６４】
開示される実施例において、接続装置１０４の両側面が開放されて設けられることにより、接続装置１０４の開放された一側面を介してクリップ部１３９がフレキシブル照明装置１０２の側面に固定され、フレキシブル照明装置１０２の光の照射方向が接続装置１０４の開放された他側面を介して外部に露出して光の干渉を最小化できる。
【００６５】
図５は、本発明の一実施例によるフレキシブル照明装置の底面図および断面図である。
【００６６】
図５を参照すると、フレキシブル照明装置１０２の下面には、フレキシブル照明装置１０２を切断する部分を表示する切断マーク１１７が表示され得る。ここで、切断マーク１１７は、フレキシブル基板１１１の下面に表示され得る。切断マーク１１７は、フレキシブル基板１１１の下面にフレキシブル基板１１１の長さ方向に沿って複数が相互離隔して設けられ得る。そして、切断マーク１１７は、外部から識別可能に設けられ得る。
【００６７】
例示的な実施例において、切断マーク１１７がフレキシブル基板１１１の下面に表示され得る。例えば、切断マーク１１７は、フレキシブル基板１１１の下面でフレキシブル基板１１１の中心に沿って複数が離隔して設けられ得る。第１保護部１１３−１がフレキシブル基板１１１の上面を包みながら設けられ、第２保護部１１３−２がフレキシブル基板１１１の下面を包みながら設けられ得る。
【００６８】
そして、光遮断部１１５が第１保護部１１３−１の一側面（図５では、左側面）および上面と、第２保護部１１３−２の下面に設けられ得る。この場合、第１保護部１１３−１の他側面（図５では、右側面）は、光遮断部１１５が形成されず、照明手段１２１から発生した光は、光遮断部１１５が形成されない第１保護部１１３−１の他側面に照射される。
【００６９】
すなわち、フレキシブル照明装置１０２において、照明手段１２１は、上部方向に形成されるが、光の照射方向は、右側方向になる。第１タイプのフレキシブル照明装置は、フレキシブル基板１１１が置かれた面を基準に上部および下部方向に曲がって使用できる。つまり、第１タイプのフレキシブル照明装置のベンディング方向は、光の照射方向と垂直方向であり得る。
【００７０】
ここで、光遮断部１１５は、第２保護部１１３−２の下面で切断マーク１１７が表示されたフレキシブル基板１１１の中心領域には、形成されないことがあり得る。この場合、第２保護部１１３−２は、光を透過できる材質からなるため、フレキシブル照明装置１０２の下部で切断マーク１１７が使用者の目に識別可能に見えることになる。
【００７１】
また、光遮断部１１５が第１保護部１１３−１の一側面および上面に形成され、フレキシブル基板１１１の下面には、第２保護部１１３−２だけ形成され得る。この場合にも、フレキシブル照明装置１０２の下部で切断マーク１１７が使用者の目に識別可能に見えることになる。
【００７２】
また、フレキシブル照明装置１０２で切断マーク１１７が形成された部分に開口が形成され、切断マーク１１７を外部から識別可能に設けられ得る。例えば、フレキシブル照明装置１０２の下面でフレキシブル照明装置１０２の中心に沿って開口が形成され得る。しかし、これに限定されるものではなく、切断マーク１１７は、フレキシブル基板１１１の下面に設けられ、外部から識別可能な様々な形で設けられ得る。
【００７３】
このように、切断マーク１１７がフレキシブル基板１１１の下面に設けられ、外部から識別可能に設けられることにより、フレキシブル照明装置１０２が曲がっても、使用者は、切断マーク１１７を通じてフレキシブル照明装置１０２の切断する部分を正確に見つけて切断できることになる。
【００７４】
すなわち、フレキシブル照明装置１０２が多くの部分で切断可能に設けられても、切断マーク１１７がフレキシブル照明装置１０２の外面に表示されていると、フレキシブル照明装置１０２が曲がる場合、切断マーク１１７が移動して実際に切断すべき部位と一致しなくなり得る。ところが、切断マーク１１７がフレキシブル基板１１１の下面に設けられ、外部から識別可能に設けられると、フレキシブル照明装置１０２が曲がっても、切断マーク１１７が実際に切断されるべき部位と一致することになるため、使用者がフレキシブル照明装置１０２の切断すべき部分をちゃんと見つけて切断できることになる。
【００７５】
図６は、本発明の他の実施例によるフレキシブル照明装置を示した断面図である。ここでは、図２に示された実施例と異なる部分を重点的に説明する。
【００７６】
図６を参照すると、光遮断部１１５は、第１保護部１１３−１の両側面および第２保護部１１３−２の下面に設けられ得る。この場合、第１保護部１１３−１の上面は、光遮断部１１５が形成されず、照明手段１２１から発生した光は、光遮断部１１５が形成されない第１保護部１１３−１の上面に照射される。
【００７７】
すなわち、フレキシブル照明装置１０２で照明手段１２１は、上部方向に形成され、光の照射方向も上部方向になる。このように、照明手段１２１の方向と光の照射方向が一致するフレキシブル照明装置を「第２タイプのフレキシブル照明装置」と指称し得る。
【００７８】
これらの第２タイプのフレキシブル照明装置は、光の照射方向である上部方向とその反対である下部方向に曲がって使用できる。つまり、第２タイプのフレキシブル照明装置のベンディング方向は、光の照射方向である上部方向とその反対である下部方向になり得る。
【００７９】
開示される実施例において、第１タイプのフレキシブル照明装置は、ベンディング方向が光の照射方向と垂直方向になるようにし、第２タイプのフレキシブル照明装置は、ベンディング方向が光の照射方向およびその反対方向になるようにすることにより、フレキシブル照明装置１０２の設置の容易さを増大させ得る。また、第１タイプのフレキシブル照明装置と第２タイプのフレキシブル照明装置とを接続装置を介して接続する場合、照明方向が互いに異なるように現れるに応じて照明の演出を様々にし得る。
【００８０】
図７は、本発明の他の実施例による接続装置を示した斜視図である。ここでは、２つのフレキシブル照明装置を接続するための接続装置の構成を示した。
【００８１】
すなわち、図３に示された実施例では、接続装置１０４の一側が電源供給部（図示せず）に接続され、接続装置１０４の他側がフレキシブル照明装置１０２に接続されることを示した。一方、図７に示される実施例は、接続装置２０４の一側が第１フレキシブル照明装置２０２−１に接続され、接続装置２０４の他側が第２フレキシブル照明装置２０２−２に接続されるによって、接続装置２０４を介して２つのフレキシブル照明装置が電気的に接続される場合を示したものである。
【００８２】
図７を参照すると、接続装置２０４は、本体部２３１を中心に本体部２３１の一側に第１フレキシブル照明装置２０２−１と接続される第１接続装置２０４−１および本体部２３１の他側に第２フレキシブル照明装置２０２−２と接続される第２接続装置２０４−２を含み得る。第１接続装置２０４−１と第２接続装置２０４−２は、本体部２３１を中心に左右に対称して設けられ得る。
【００８３】
本体部２３１は、第１本体部２３１−１および第２本体部２３１−２を含み得る。第１本体部２３１−１は、第１フレキシブル照明装置２０２−１と第２フレキシブル照明装置２０２−２との間で第１フレキシブル照明装置２０２−１および第２フレキシブル照明装置２０２−２の各端部と対向して設けられ得る。第２本体部２３１−２は、第１本体部２３１−１の各枠で第１フレキシブル照明装置２０２−１および第２フレキシブル照明装置２０２−２に向かってそれぞれ突出して設けられ得る。
【００８４】
第１接続装置２０４−１は、第１照明装置ガイド部２３５ａ、第１接続端子２３７ａ、および第１クリップ部２３９ａを含み得る。ここで、第１照明装置ガイド部２３５ａ、第１接続端子２３７ａ、および第１クリップ部２３９ａは、図３に示された対応する構成とそれぞれ同一または類似するので、これについては簡単に説明する。
【００８５】
ここで、第１照明装置ガイド部２３５ａは、第２本体部２３１−２の一側で第１フレキシブル照明装置２０２−１側に設けられ得る。第１接続端子２３７ａは、第１本体部２３１−１の一面から第１フレキシブル照明装置２０２−１側に突出して設けられ得る。第１接続端子２３７ａは、第１フレキシブル照明装置２０２−１の配線パターンと電気的に接続され得る。第１クリップ部２３９ａは、第１照明装置ガイド部２３５ａの外側に結合され得る。第１クリップ部２３９ａは、第１照明装置ガイド部２３５ａの開放された一側面を閉鎖するように第１照明装置ガイド部２３５ａに結合され得る。このとき、第１クリップ部２３９ａは、第１照明装置ガイド部２３５ａの開放された一側面によって外部に露出された第１フレキシブル照明装置２０２−１の側面に密着して固定され得る。
【００８６】
第２接続装置２０４−２は、第２照明装置ガイド部２３５ｂ、第２接続端子２３７ｂ、および第２クリップ部２３９ｂを含み得る。第２照明装置ガイド部２３５ｂは、第２本体部２３１−２の他側で第２フレキシブル照明装置２０２−２側に設けられ得る。第２接続端子２３７ｂは、第１本体部２３１−１の他面から第２フレキシブル照明装置２０２−２側に突出して設けられ得る。第２接続端子２３７ｂは、第１本体部２３１−１で第１接続端子２３７ａと電気的に接続され得る。例示的な実施例において、第２接続端子２３７ｂは、第１接続端子２３７ａと一体として設けられ得る。第２接続端子２３７ｂは、第２フレキシブル照明装置２０２−２の配線パターンと電気的に接続され得る。
【００８７】
第２クリップ部２３９ｂは、第２照明装置ガイド部２３５ｂの外側に結合され得る。第２クリップ部２３９ｂは、第２照明装置ガイド部２３５ｂの開放された一側面を閉鎖するように第２照明装置ガイド部２３５ｂに結合され得る。このとき、第２クリップ部２３９ｂは、第２照明装置ガイド部２３５ｂの開放された一側面によって外部に露出された第２フレキシブル照明装置２０２−２の側面に密着して固定され得る。
【００８８】
一方、ここでは、第１フレキシブル照明装置２０２−１および第２フレキシブル照明装置２０２−２が第１タイプのフレキシブル照明装置であるものと示したが、これに限定されるものではなく、第１フレキシブル照明装置２０２−１および第２フレキシブル照明装置２０２−２のうち、いずれか１つは、第１タイプのフレキシブル照明装置であり、他の１つは、第２タイプのフレキシブル照明装置であり得る。また、第１フレキシブル照明装置２０２−１および第２フレキシブル照明装置２０２−２の両方が第２タイプのフレキシブル照明装置であり得る。
【００８９】
図８は、本発明のまた他の実施例による接続装置を示した斜視図である。ここでは、第１タイプのフレキシブル照明装置と第２タイプのフレキシブル照明装置を接続するための接続装置の構成を示した。以下では、図７に示された実施例と異なる部分を重点で説明する。
【００９０】
図８を参照すると、本体部２３１の一側に設けられる第１接続装置２０４−１は、第１タイプのフレキシブル照明装置２０２−１と接続され、本体部２３１の他側に設けられる第２接続装置２０４−２は、第２タイプのフレキシブル照明装置２０２−２と接続され得る。
【００９１】
第１接続装置２０４−１の第１照明装置ガイド部２３５ａは、両側面が開放されて設けられ得る。第１クリップ部２３９ａは、第１照明装置ガイド部２３５ａの一側で第１照明装置ガイド部２３５ａの開放された一側面を閉鎖するように第１照明装置ガイド部２３５ａに結合され得る。
【００９２】
第１クリップ部２３９ａは、第１照明装置ガイド部２３５ａの開放された一側面によって外部に露出された第１タイプのフレキシブル照明装置２０２−１の側面に密着して固定され得る。ここで、第１タイプのフレキシブル照明装置２０２−１の光遮断部が形成されない面（すなわち、光が照射される面）は、第１照明装置ガイド部２３５ａの開放された他側面と向かい合って位置することになる。
【００９３】
一方、第２接続装置２０４−２の第２照明装置ガイド部２３５ｂは、上面および下面が開放されて設けられ得る。第２クリップ部２３９ｂは、第２照明装置ガイド部２３５ｂの下部で第２照明装置ガイド部２３５ｂの開放された下面を閉鎖するように第２照明装置ガイド部２３５ｂに結合され得る。
【００９４】
第２クリップ部２３９ｂは、第２照明装置ガイド部２３５ｂの開放された下面によって外部に露出された第２タイプのフレキシブル照明装置２０２−２の下面に密着して固定され得る。ここで、第２タイプのフレキシブル照明装置２０２−２の光遮断部が形成されない面（すなわち、光が照射される面）は、第２照明装置ガイド部２３５ｂの開放された上面と向かい合って位置することになる。
【００９５】
一方、フレキシブル照明システムは、第１タイプのフレキシブル照明装置２０２−１（第１タイプ照明）と第２タイプのフレキシブル照明装置２０２−２（第２タイプ照明）が様々に配列され得る。例えば、第１タイプ照明と第２タイプ照明が繰り返して配列され得、第１タイプ照明が複数配列された後に、第２タイプ照明が複数配列されるなど、様々な形で配列され得、これにより様々な照明の演出が可能となる。
【００９６】
また、第１接続装置２０４−１の両側面が開放されて設けられることにより、第１接続装置２０４−１の開放された一側面を介して第１クリップ部２３９ａが第１フレキシブル照明装置２０２−１の側面に固定され、第１フレキシブル照明装置２０２−１の光の照射方向が第１接続装置２０４−１の開放された他側面を介して外部に露出して光の干渉を最小化できる。そして、第２接続装置２０４−２の上面および下面が開放されて設けられることにより、第２接続装置２０４−２の開放された下面を介して第２クリップ部２３９ｂが第２フレキシブル照明装置２０２−２の下面に固定され、第２フレキシブル照明装置２０２−２の光の照射方向が第２接続装置２０４−２の開放された上面を介して外部に露出して光の干渉を最小化できる。
【００９７】
図９および図１０は、開示される実施例において、複数の第２タイプのフレキシブル照明装置が接続装置を介して接続される状態を示した図面である。
【００９８】
図９および図１０を参照すると、第１フレキシブル照明装置２０２−１および第２フレキシブル照明装置２０２−２は、第２タイプのフレキシブル照明装置であり得る。接続装置２０４は、第１フレキシブル照明装置２０２−１と第２フレキシブル照明装置２０２−２との間で第１フレキシブル照明装置２０２−１と第２フレキシブル照明装置２０２−２を接続し得る。
【００９９】
接続装置２０４において、本体部２３１の一側に設けられる第１接続装置２０４−１は、第１フレキシブル照明装置２０２−１の一端部に接続され、本体部２３１の他側に設けられる第２接続装置２０４−２は、第２フレキシブル照明装置２０２−２の一端部に接続され得る。ここで、第１クリップ部２３９ａは、第１接続装置２０４−１に結合され、第２クリップ部２３９ｂは、第２接続装置２０４−２に結合され得る。
【０１００】
第１フレキシブル照明装置２０２−１の他端部には、また他の接続装置１０４が接続され得る。接続装置１０４の一側には、電源接続部１３３が設けられ得る。電源接続部１３３は、電源供給部（図示せず）と電気的に接続され得る。また他の接続装置１０４には、第３クリップ部２３９ｃが結合され得る。
【０１０１】
第２フレキシブル照明装置２０２−２の他端部には、仕上げ部材２４１が結合され得る。仕上げ部材２４１は、第２フレキシブル照明装置２０２−２の他端部を外部の環境から保護できる。仕上げ部材２４１は、第２フレキシブル照明装置２０２−２の配線パターンなどが外部に露出されることを防止できる。
【０１０２】
ここで、第１フレキシブル照明装置２０２−１の他端部に接続された接続装置１０４から電源が供給されると、第１フレキシブル照明装置２０２−１および第１フレキシブル照明装置２０２−１の一端部に接続された接続装置２０４を介して第２フレキシブル照明装置２０２−２に電源が伝達されて供給されることになる。
【０１０３】
図１１は、開示される実施例において、複数の第１タイプのフレキシブル照明装置が接続装置を介して接続される状態を示した図面である。
【０１０４】
図１１を参照すると、第１フレキシブル照明装置２０２−１および第２フレキシブル照明装置２０２−２は、第１タイプのフレキシブル照明装置であり得る。
【０１０５】
接続装置２０４において、本体部２３１の一側に設けられる第１接続装置２０４−１は、第１フレキシブル照明装置２０２−１の一端部に接続され、本体部２３１の他側に設けられる第２接続装置２０４−２は、第２フレキシブル照明装置２０２−２の一端部に接続され得る。ここで、第１クリップ部２３９ａは、第１接続装置２０４−１に結合され、第２クリップ部２３９ｂは、第２接続装置２０４−２に結合され得る。
【０１０６】
第１フレキシブル照明装置２０２−１の他端部には、また他の接続装置１０４が接続され得る。接続装置１０４の一側には、電源接続部１３３が設けられ得る。電源接続部１３３は、電源供給部（図示せず）と電気的に接続され得る。また他の接続装置１０４には、第３クリップ部２３９ｃが結合され得る。
【０１０７】
第２フレキシブル照明装置２０２−２の他端部には、仕上げ部材２４１が結合され得る。仕上げ部材２４１は、第２フレキシブル照明装置２０２−２の他端部を外部の環境から保護できる。仕上げ部材２４１は、第２フレキシブル照明装置２０２−２の配線パターンなどが外部に露出されることを防止できる。
【０１０８】
一方、本発明の実施例によるフレキシブル照明装置１０２は、ブラケットを介して設置面に装着され得る。図１２は、開示される一実施例によるフレキシブル照明装置がブラケットに装着される状態を示した斜視図および断面図である。
【０１０９】
図１２を参照すると、ブラケット１５０は、設置面Ｓ（例えば、壁面または天井など）に固定手段１６０を介して固定され得る。ブラケット１５０は、複数が相互離隔して設置面Ｓに設けられ得る。例示的な実施例において、フレキシブル照明装置１０２は、ブラケット１５０の内部にはめ込み挿入されて結合され得る。
【０１１０】
フレキシブル照明装置１０２の両側には、装着溝１１９が設けられ得る。装着溝１１９は、フレキシブル照明装置１０２の長さ方向に沿って設けられ得る。フレキシブル照明装置１０２がブラケット１５０の内部にはめ込み挿入されるとき、装着溝１１９がブラケット１５０の上端に設けられる装着部１５２に係止されて固定装着され得る。
【０１１１】
また、開示される実施例においては、接続装置１０４の接続端子１３７がフレキシブル照明装置１０２の配線パターン１２３と容易に接触するために、別の拡張スティックを用い得る。図１３は、開示される一実施例において、拡張スティックを用いて接続装置がフレキシブル照明装置と接続される過程を示した図面である。
【０１１２】
まず、拡張スティック１７０を準備する（図１３の（ａ））。拡張スティック１７０は、バー（ｂａｒ）形状に設けられ得、端部に行くほど平たく（すなわち、幅が狭く厚さが薄くなるように）設けられ得る。
【０１１３】
次に、拡張スティック１７０の端部をフレキシブル照明装置１０２のフレキシブル基板１１１と第２保護部１１３−２との間に入れる（図１３の（ｂ））。すなわち、拡張スティック１７０を介してあらかじめフレキシブル基板１１１と第２保護部１１３−２との間を開けておく。
【０１１４】
次に、フレキシブル照明装置１０２を接続装置１０４の内側に挿入する（図１３の（ｃ））。ここで、拡張スティック１７０を介してフレキシブル基板１１１と第２保護部１１３−２との間を開けたため、接続装置１０４の接続端子１３７がフレキシブル基板１１１と第２保護部１１３−２との間に容易に入るにつれて配線パターン１２３と接触することになる。
【０１１５】
以上で、本発明の代表的な実施例を具体的に説明したが、本発明が属する技術分野で通常の知識を有する者は、前述した実施例について本発明の範疇から逸脱しない範囲内で様々な変形が可能であることを理解するであろう。したがって、本発明の権利の範囲は、説明された実施例に限定されて定められてはならず、後述する特許請求の範囲だけでなく、この特許請求の範囲と均等なものなどによって定められるべきである。
【符号の説明】
【０１１６】
１００：フレキシブル照明システム
１０２：フレキシブル照明装置
１０４、２０４：接続装置
１１１：フレキシブル基板
１１３：保護部
１１３−１：第１保護部
１１３−２：第２保護部
１１５：光遮断部
１１７：切断マーク
１１９：装着溝
１２１：照明手段
１２３：配線パターン
１３１、２３１：本体部
１３１−１、２３１−１：第１本体部
１３１−２、２３１−２：第２本体部
１３３：電源接続部
１３５：照明装置ガイド部
１３５−１：第１ガイド部
１３５−１ａ：第１係止溝
１３５−２：第２ガイド部
１３５−２ａ：第２係止溝
１３５−３：支持フレーム
１３７：接続端子
１３９：クリップ部
１３９−１：第１プレート
１３９−１ａ：固定突起
１３９−２：第２プレート
１３９−２ａ：第１係止部
１３９−３：第３プレート
１３９−３ａ：第２係止部
１５０：ブラケット
１５２：装着部
１６０：固定手段
１７０：拡張スティック
２０２−１：第１フレキシブル照明装置
２０２−２：第２フレキシブル照明装置
２０４−１：第１接続装置
２０４−２：第２接続装置
２３５ａ：第１照明装置ガイド部
２３５ｂ：第２照明装置ガイド部
２３７ａ：第１接続端子
２３７ｂ：第２接続端子
２３９ａ：第１クリップ部
２３９ｂ：第２クリップ部
２３９c：第３クリップ部
２４１：仕上げ部材
【図１】
2020119890.tif 000003
【図２】
2020119890.tif 000004
【図３】
2020119890.tif 000005
【図４】
2020119890.tif 000006
【図５】
2020119890.tif 000007
【図６】
2020119890.tif 000008
【図７】
2020119890.tif 000009
【図８】
2020119890.tif 000010
【図９】
2020119890.tif 000011
【図１０】
2020119890.tif 000012
【図１１】
2020119890.tif 000013
【図１２】
2020119890.tif 000014
【図１３】
2020119890.tif 000015